(57)【特許請求の範囲】
【請求項１】
指紋識別を行う端末であって、
指紋識別器と、プロセッサと、ボディと、複数の指紋検出手段とを備え、
前記複数の指紋検出手段は、前記ボディのスクリーンカバーとスクリーンの間に分散され、
前記指紋識別器は、前記ボディの内部に設けられ、前記複数の指紋検出手段にそれぞれ電気的接続され、前記プロセッサに電気的接続され、且つ、各指紋検出手段による検出信号を取得し、前記各指紋検出手段による検出信号に基づいて指紋データを生成し、前記指紋データを前記プロセッサに送信し、
前記プロセッサは、前記ボディの内部に設けられ、且つ、前記指紋データを予め記憶された基準指紋データと照合し、もし前記指紋データが前記基準指紋データに整合すれば、予め設定された制御指令を実行し、
前記ボディのスクリーンカバーとスクリーンの間に透明な薄膜が設けられ、前記複数の指紋検出手段は、前記透明な薄膜上に分散され、
前記端末は、前記複数の指紋検出手段と電気的接続され、且つ、前記指紋識別器に電気的接続されたスイッチング回路を更に備え、
前記指紋識別器は、検出信号取得指令を前記スイッチング回路へ送信し、
前記スイッチング回路は、前記検出信号取得指令を受信する度に、予め設定された順番に従い、前記複数の指紋検出手段のうちの１つの指紋検出手段による検出信号を取得し、取得された検出信号を指紋識別器へ送信する、
端末。
【請求項２】
前記指紋識別器は、
各指紋検出手段で検出された静電容量値を取得し、前記各指紋検出手段で検出された静電容量値に基づいて指紋データを生成することを特徴とする請求項１に記載の端末。
【請求項３】
前記複数の指紋検出手段は、前記ボディのスクリーンカバーとスクリーンの間に格子状に分散されることを特徴とする請求項１に記載の端末。
【請求項４】
前記複数の指紋検出手段は、ストリップ状であり、複数のストリップ状の指紋検出手段は、横縦に交差するように、前記ボディのスクリーンカバーとスクリーンの間に分散されることを特徴とする請求項１に記載の端末。
【請求項５】
前記複数の指紋検出手段は、ナノ銀、カーボンナノチューブ、および、グラフェンのうちの１つまたは複数の材料から形成されることを特徴とする請求項１に記載の端末。
【請求項６】
前記スイッチング回路は、薄膜トランジスタＴＦＴスイッチング回路であることを特徴とする請求項１に記載の端末。
【請求項７】
指紋識別を行う端末であって、
指紋識別器と、プロセッサと、ボディと、複数の指紋検出手段とを備え、
前記複数の指紋検出手段は、前記ボディのスクリーンカバーとスクリーンの間に分散され、
前記指紋識別器は、前記ボディの内部に設けられ、前記複数の指紋検出手段にそれぞれ電気的接続され、前記プロセッサに電気的接続され、且つ、各指紋検出手段による検出信号を取得し、前記各指紋検出手段による検出信号に基づいて指紋データを生成し、前記指紋データを前記プロセッサに送信し、
前記プロセッサは、前記ボディの内部に設けられ、且つ、前記指紋データを予め記憶された基準指紋データと照合し、もし前記指紋データが前記基準指紋データに整合すれば、予め設定された制御指令を実行し、
前記ボディのスクリーンカバーとスクリーンの間に透明な薄膜が設けられ、前記複数の指紋検出手段は、前記透明な薄膜上に分散され、
前記端末は、前記複数の指紋検出手段と電気的接続され、且つ、前記指紋識別器に電気的接続されたスイッチング回路を更に備え、
前記スイッチング回路は、自動計数スイッチング回路である、
端末。
【発明の詳細な説明】
【技術分野】
【０００１】
本開示は、コンピュータ技術分野に関し、特に指紋識別を行う端末に関する。
【背景技術】
【０００２】
移動端末技術の発展につれて、移動端末の用途が広くなっており、移動端末は、人々の日常的な仕事や生活における最も重要なツールの１つになっている。移動端末の利用に際して、ユーザ情報のセキュリティを保証するために、移動端末でアンロックや支払い等の安全レベルの高い操作を行うための指紋識別機能を移動端末に設定する。
【０００３】
実際において、移動端末は、一般的に、指紋検出器を介して指紋の画像を検出し、スクリーンのカバー上での指紋検出器に対応する位置に、対応する検出ホールが設けられ、ユーザは、検出ホールを指で覆い、指紋検出器の検出端に接触してもよく、指紋検出器は、検出された検出信号に基づいて指紋画像データを生成し、移動端末による指紋識別処理を便利にさせる。
【０００４】
本開示を実現させる過程において、発明者は、少なくとも以下の問題を発見した。
【０００５】
移動端末のカバー上での指紋検出器に対応する位置に、対応する検出ホールが設けられるため、カバーの強度が弱くなり、カバーが割れやすくなる。
【発明の概要】
【０００６】
関連技術に存在する問題を克服すべく、本開示は、指紋識別を行う端末を提供する。前記技術案は、以下のようになる。
【０００７】
本開示の実施例の第１の態様によれば、指紋識別を行う端末を提供する。前記端末は、指紋識別器と、プロセッサと、ボディと、複数の指紋検出手段とを備え、
前記複数の指紋検出手段は、前記ボディのスクリーンカバーとスクリーンの間に分散され、
前記指紋識別器は、前記ボディの内部に設けられ、前記複数の指紋検出手段にそれぞれ電気的接続され、前記プロセッサに電気的接続され、且つ、各指紋検出手段による検出信号を取得し、前記各指紋検出手段による検出信号に基づいて指紋データを生成し、前記指紋データを前記プロセッサに送信し、
前記プロセッサは、前記ボディの内部に設けられ、且つ、前記指紋データを予め記憶された基準指紋データと照合し、もし前記指紋データが前記基準指紋データに整合すれば、予め設定された制御指令を実行する。
【０００８】
好ましくは、前記指紋識別器は、
各指紋検出手段で検出された静電容量値を取得し、前記各指紋検出手段で検出された静電容量値に基づいて指紋データを生成する。
【０００９】
好ましくは、前記複数の指紋検出手段は、前記ボディのスクリーンカバーとスクリーンの間に格子状に分散される。
【００１０】
好ましくは、前記複数の指紋検出手段は、ストリップ状であり、複数のストリップ状の指紋検出手段は、横縦に交差するように、前記ボディのスクリーンカバーとスクリーンの間に分散される。
【００１１】
好ましくは、前記ボディのスクリーンカバーとスクリーンの間に透明な薄膜が設けられ、前記複数の指紋検出手段は、前記透明な薄膜上に分散される。
【００１２】
好ましくは、前記複数の指紋検出手段は、ナノ銀、カーボンナノチューブ、および、グラフェンのうちの１つまたは複数の材料から形成される。
【００１３】
好ましくは、前記端末は、前記複数の指紋検出手段と電気的接続され、且つ、前記指紋識別器に電気的接続されたスイッチング回路を更に備える。
【００１４】
好ましくは、前記指紋識別器は、検出信号取得指令を前記スイッチング回路へ送信し、
前記スイッチング回路は、前記検出信号取得指令を受信する度に、予め設定された順番に従い、前記複数の指紋検出手段のうちの１つの指紋検出手段の検出信号を取得し、取得された検出信号を指紋識別器へ送信する。
【００１５】
好ましくは、前記スイッチング回路は、薄膜トランジスタＴＦＴスイッチング回路である。
【００１６】
好ましくは、前記スイッチング回路は、自動計数スイッチング回路である。
【発明の効果】
【００１７】
本開示の実施例による技術案は、以下の格別な作用効果を含むことができる。
【００１８】
本開示の実施例では、端末は、指紋識別器と、プロセッサと、ボディと、複数の指紋検出手段とを備え、そのうち、複数の指紋検出手段は、ボディのスクリーンカバーとスクリーンの間に分散され、指紋識別器は、ボディの内部に設けられ、複数の指紋検出手段にそれぞれ電気的接続され、プロセッサに電気的接続され、且つ、各指紋検出手段による検出信号を取得し、各指紋検出手段による検出信号に基づいて指紋データを生成し、指紋データをプロセッサへ送信し、プロセッサは、ボディの内部に設けられ、且つ、指紋データを予め記憶された基準指紋データと照合し、もし指紋データが基準指紋データに整合すれば、予め設定された制御指令を実行することで、端末は、スクリーンカバーとスクリーンとの間にある指紋検出手段による検出信号に基づいて指紋識別を行うことができ、スクリーンカバー上に検出ホールを設ける必要は無くなるため、スクリーンカバーの強度が向上できる。
【００１９】
上記した一般的な記述及び後続の詳細な記述は、単に例示的及び解釈的なものであり、本発明を制限できるものでないと理解されるべきである。
【図面の簡単な説明】
【００２０】
ここでの図面は、明細書を構成する一部として見なされ、本開示に適した実施例を示し、かつ、明細書の文字記載とともに本開示の仕組みを解釈するために用いられる。
【図１】一実施例による端末の構造模式図である。
【図２】一実施例による端末の構造模式図である。
【図３】一実施例による端末の構造模式図である。
【図４】一実施例による端末の構造模式図である。
【００２１】
符号の説明        
１、指紋識別器                                ２、プロセッサ
３、ボディ                                    ４、指紋検出手段
５、スクリーンカバー                          ６、スイッチング回路
【００２２】
上記図面により、本開示の明確な実施例が示され、より詳細な説明は、後述する。これらの図面や文字記載は、如何なる方式で本開示の思想の範囲を制限するためでなく、特定の実施例を参照することで本開示の概念を当業者に説明するためである。
【発明を実施するための形態】
【００２３】
次に、実施例を詳細に説明し、例示が図に示されている。以下の記述が図に係る場合、別途にて示さない限り、異なる図面における同じ数字は、同一のまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置及び方法の例に過ぎない。
【００２４】
実施例一
本開示の実施例は、指紋識別を行う端末を提供し、図１に示すように、当該端末は、指紋識別器１と、プロセッサ２と、ボディ３と、複数の指紋検出手段４とを備え、そのうち、
複数の指紋検出手段４は、ボディ３のスクリーンカバー５とスクリーンの間に分散され、指紋識別器１は、ボディ３の内部に設けられ、複数の指紋検出手段４にそれぞれ電気的接続され、プロセッサ２に電気的接続され、且つ、各指紋検出手段４による検出信号を取得し、各指紋検出手段４の検出信号に基づいて指紋データを生成し、指紋データをプロセッサ２へ送信し、プロセッサ２は、ボディ３の内部に設けられ、指紋データを予め記憶された基準指紋データと照合し、もし指紋データが基準指紋データに整合すれば、予め設定された制御指令を実行する。
【００２５】
本開示の実施例では、端末は、指紋識別器と、プロセッサと、ボディと、複数の指紋検出手段とを備え、そのうち、複数の指紋検出手段は、ボディのスクリーンカバーとスクリーンの間に分散され、指紋識別器は、ボディの内部に設けられ、複数の指紋検出手段にそれぞれ電気的接続され、プロセッサに電気的接続され、且つ、各指紋検出手段による検出信号を取得し、各指紋検出手段による検出信号に基づいて指紋データを生成し、指紋データをプロセッサへ送信し、プロセッサは、ボディの内部に設けられ、指紋データを予め記憶された基準指紋データと照合し、もし指紋データが基準指紋データに整合すれば、予め設定された制御指令を実行することで、端末は、スクリーンカバーとスクリーンとの間にある指紋検出手段による検出信号に基づいて指紋識別を行うことができ、スクリーンカバー上に検出ホールを設ける必要は無くなるため、スクリーンカバーの強度が向上できる。
【００２６】
実施例二
本開示の実施例は、指紋識別を行う端末を提供し、当該端末は、指紋識別器１と、プロセッサ２と、ボディ３と、複数の指紋検出手段４とを備え、そのうち、複数の指紋検出手段４は、ボディ３のスクリーンカバー５とスクリーンの間に分散され、指紋識別器１は、ボディ３の内部に設けられ、複数の指紋検出手段４にそれぞれ電気的接続され、プロセッサ２に電気的接続され、且つ、各指紋検出手段４による検出信号を取得し、各指紋検出手段４の検出信号に基づいて指紋データを生成し、指紋データをプロセッサ２へ送信し、プロセッサ２は、ボディ３の内部に設けられ、且つ、指紋データを予め記憶された基準指紋データと照合し、もし指紋データが基準指紋データに整合すれば、予め設定された制御指令を実行する。
【００２７】
実施において、端末は、指紋識別器１と、プロセッサ２と、ボディ３と、複数の指紋検出手段４とを備えてもよい。指紋検出手段４は、ナノ銀、カーボンナノチューブ、および、グラフェンのうちの１つまたは複数の材料から形成されてもよく、銅線を含んでもよい。それらの材料は、ボディ３のスクリーンカバー５とスクリーンの間に分散される、ナノオーダーの金属ワイヤを形成してもよい。例えば、指紋検出手段４は、直接スクリーンカバー５とスクリーンの間に設けられ、一定の方式で配列されてもよい。端末のスクリーンカバー５は、平らで孔のない構造が可能であるため、カバーの強度が向上し、端末の落下によるスクリーンカバーの割れやすい状況が回避される。指紋識別器１は、ボディ３の内部に設置可能であり、スクリーンカバー５とスクリーンとの間にある指紋検出手段４に電気的接続可能であり、プロセッサ２に電気的接続可能であり、プロセッサ２は、ボディ３とスクリーンの間に設置可能である。指紋識別器１には、信号フィルタシステム、増幅回路やＡＤ（Ａｎａｌｏｇ  Ｄｉｇｉｔａｌ）サンプリングモジュール等が設けられることで、各指紋検出手段４の検出信号をフィルタし増幅してから、各指紋検出手段４の検出信号に基づいて指紋データを生成し、生成された指紋データをプロセッサ２へ送信することができる。
【００２８】
プロセッサ２に、基準指紋データを予め記憶してもよく、基準指紋データは、複数回の検出により得られたユーザの指紋データの平均値であってもよい。ユーザは、端末の指紋設定ページで指紋設定選択肢をクリック可能であり、端末は、指紋設定指令を受信し、そして、端末の指紋識別器１は、各指紋検出手段４の検出信号を取得して指紋データを生成し、指紋データをプロセッサ２へ送信可能であり、プロセッサ２は、受信された指紋データを記憶可能である。端末は、ユーザの指紋に対して複数回の検出を行い、検出された指紋データをプロセッサ２へ送信してもよく、プロセッサ２は、これらの指紋データを受信すると、これらの指紋データの平均値を基準指紋データとして特定してもよい。
【００２９】
プロセッサ２は、指紋識別モジュールから送信された指紋データを受信すると、受信された指紋データを予め記憶された基準指紋データと照合し、受信された指紋データと基準指紋データとの類似度を特定し、もし受信された指紋データと基準指紋データとの類似度が予め設定された類似度範囲内であれば、予め設定された制御指令を実行してもよい。プロセッサ２は、受信された指紋データと基準指紋データとの類似度が予め設定された類似度範囲内であると特定した後で、端末の現在のインターフェース表示状態を検出し、更に現在のインターフェース表示状態に合わせて、異なる制御指令を実行してもよい。例えば、プロセッサ２は、受信された指紋データと基準指紋データとの類似度が予め設定された類似度範囲内であると特定した後で、もし端末の現在のインターフェース表示状態がアンロック待ち状態であると検出すれば、アンロック処理を行ってもよく、もし端末の現在のインターフェース表示状態が支払い待ち状態であると検出すれば、支払い処理を行ってもよい。
【００３０】
好ましくは、指紋識別器１は、各指紋検出手段４で検出された静電容量値を取得し、各指紋検出手段４で検出された静電容量値に基づいて指紋データを生成してもよい。
【００３１】
実施において、指紋表面が突出する部分は、山と称されてもよく、凹となる部分は、谷と称されてもよい。ユーザがスクリーンを指でタッチするとき、山から指紋検出手段４までの距離と、谷から指紋検出手段４までの距離とが異なる。指紋検出手段４で検出された静電容量値が被測体から指紋検出手段４までの距離に関係するため、指で覆われる指紋検出手段４は、山と谷との箇所で異なる静電容量値をなす。指紋識別器１は、スクリーンカバー５とスクリーン間のあらゆる指紋検出手段４で検出された静電容量値を取得してから、各指紋検出手段４で検出された静電容量値に基づいて指紋データを生成し、生成された指紋データをプロセッサ２に送信してもよい。プロセッサ２は、指紋識別モジュールから送信された指紋データを受信した後で、受信された指紋データを予め記憶された基準指紋データと照合し、受信された指紋データと基準指紋データとの類似度を特定し、もし受信された指紋データと基準指紋データとの類似度が予め設定された類似度範囲内であれば、予め設定された制御指令を実行してもよい。プロセッサ２は、受信された指紋データと基準指紋データとの類似度が予め設定された類似度範囲内であると特定した後で、端末の現在のインターフェース表示状態を検出し、更に現在のインターフェース表示状態に合わせて、異なる制御指令を実行してもよい。
【００３２】
好ましくは、複数の指紋検出手段４は、予め設定されたアレイ設計に従い、ボディ３のスクリーンカバー５とスクリーンの間に分散される。
【００３３】
実際において、複数の指紋検出手段４は、予め設定されたアレイ設計に従い、ボディ３のスクリーンカバー５とスクリーンの間に均一に分散されてもよく、且つ、複数の指紋検出手段４に対応する検出領域の合計が全スクリーンを覆えるようにするため、ユーザの指がスクリーンの如何なる領域でタッチしても、端末は、指紋識別を行うことができ、更に予め設定された制御指令を実行する。指紋検出手段４がボディ３のスクリーンカバー５とスクリーンの間に分散される方式は、様々であってもよいが、２種類の好適な分散方式を以下に紹介する。
【００３４】
方式一、複数の指紋検出手段４は、ボディ３のスクリーンカバー５とスクリーンの間に格子状に分散される。
【００３５】
実施において、指紋検出手段４は、点状の指紋検出手段４であってもよく、例えば、指紋検出手段４は、ドット状またはブロック状に設定されてもよい。指紋検出手段４は、図２に示すように、ボディ３のスクリーンカバー５とスクリーンの間に格子状に均一に分散されてもよい。即ち、固定の行ピッチおよび列ピッチに応じて分散される。ユーザがスクリーンを指でタッチするとき、指で覆われる点状の指紋検出手段４は、後続処理のために、検出された静電容量値を指紋識別器１へ送信してもよい。
【００３６】
方式二、複数の指紋検出手段４は、ストリップ状であり、複数のストリップ状の指紋検出手段４は、横縦に交差するようにボディ３のスクリーンカバー５とスクリーンの間に分散される。
【００３７】
実施において、指紋検出手段４は、ストリップ状であり、複数のストリップ状の指紋検出手段４は、図３に示すように、横縦に交差するようにボディ３のスクリーンカバー５とスクリーンの間に均一に分散される。ユーザがスクリーンを指でタッチするとき、指紋検出手段４は、後続処理のために、交点で検出された静電容量値を指紋識別器１へ送信してもよい。
【００３８】
好ましくは、ボディ３のスクリーンカバー５とスクリーンの間に、透明な薄膜が設けられ、複数の指紋検出手段４は、透明な薄膜上に分散される。
【００３９】
実施において、ボディ３のスクリーンカバー５とスクリーンの間に、透明な薄膜が設けられてもよく、指紋検出手段４は、透明な薄膜上に設けられてもよい。透明な薄膜のコストが低いため、生産過程において指紋検出手段４の組み立てミスによるスクリーンカバー５の無駄遣いを有効に防止でき、資源の利用率が向上できる。
【００４０】
好ましくは、端末は、複数の指紋検出手段４に電気的接続され、且つ、指紋識別器１に電気的接続されたスイッチング回路６をさらに備える。
【００４１】
実施において、図４に示すように、端末に、スイッチング回路６がさらに設けられてもよく、スイッチング回路６は、端末のスクリーンカバー５とスクリーンの間に設けられても良いし、透明な薄膜上に設けられても良い。スイッチング回路６は、複数の指紋検出手段４に電気的接続されてもよく、さらに、指紋識別器１に電気的接続されてもよい。端末に、１つのスイッチング回路６が設けられても良いし、複数のスイッチング回路６が設けられても良い。端末に１つのスイッチング回路６が設けられる場合、当該スイッチング回路６は、全ての指紋検出手段４に接続されてもよい。端末に複数のスイッチング回路６が設けられる場合、各スイッチング回路６は、複数の指紋検出手段４に接続されてもよい。
【００４２】
好ましくは、指紋識別器１は、さらに、スイッチング回路６へ検出信号取得指令を送信し、スイッチング回路６は、検出信号取得指令を受信する度に、予め設定された順番に従い、複数の指紋検出手段４のうちの１つの指紋検出手段４の検出信号を取得し、取得された検出信号を指紋識別器１へ送信する。
【００４３】
実施において、指紋識別器１は、所定周期に達する度に、スイッチング回路６へ検出信号取得指令を送信してもよく、スイッチング回路６は、検出信号取得指令を受信する。スイッチング回路６に自動計数スイッチング回路が採用されてもよく、これにより、スイッチング回路６は、受信された検出信号取得指令の数を記録することができる。スイッチング回路６が検出信号取得指令を受信する度に、スイッチング回路６は、受信された検出信号取得指令の数に応じて、予め設定された順番に従い、複数の指紋検出手段４のうちの１つの指紋検出手段４の検出信号を取得し、取得された検出信号を指紋識別器１へ送信してもよい。例えば、スイッチング回路６が１番目の検出信号取得指令を受信したとき、スイッチング回路６は、１番目の指紋検出手段４の静電容量値を取得しても良く、スイッチング回路６が２番目の検出信号取得指令を受信したとき、スイッチング回路６は、２番目の指紋検出手段４の静電容量値を取得してもよい。こうして続く。スイッチング回路６は、指紋検出手段４の検出信号を取得した後で、後続処理のために、取得された検出信号を指紋識別器１へ送信してもよい。
【００４４】
好ましくは、スイッチング回路６は、薄膜トランジスタＴＦＴスイッチング回路である。
【００４５】
実施において、スイッチング回路６は、ＴＦＴ（Ｔｈｉｎ  Ｆｉｌｍ  Ｔｒａｎｓｉｓｔｏｒ、薄膜トランジスタ）のプロセスを採用して、１セットまたは複数セットのスイッチング回路６を製作してもよい。例えば、ＴＦＴ  ＬＣＤ（Ｌｉｑｕｉｄ  Ｃｒｙｓｔａｌ  Ｄｉｓｐｌａｙ、液晶ディスプレイ）の各画素制御プロセスを採用してスイッチング回路６を製作してもよい。ＴＦＴプロセスを採用して製作されたスイッチング回路６の体積が小さいため、フレームの幅を減少させることができ、端末の外観を最適化することができる。
【００４６】
本開示の実施例では、端末は、指紋識別器と、プロセッサと、ボディと、複数の指紋検出手段とを備え、そのうち、複数の指紋検出手段は、ボディのスクリーンカバーとスクリーンの間に分散され、指紋識別器は、ボディの内部に設けられ、複数の指紋検出手段にそれぞれ電気的接続され、プロセッサに電気的接続され、且つ、各指紋検出手段による検出信号を取得し、各指紋検出手段による検出信号に基づいて指紋データを生成し、指紋データをプロセッサへ送信し、プロセッサは、ボディの内部に設けられ、指紋データを予め記憶された基準指紋データと照合し、もし指紋データが基準指紋データに整合すれば、予め設定された制御指令を実行することで、端末は、スクリーンカバーとスクリーンとの間にある指紋検出手段による検出信号に基づいて指紋識別を行うことができ、スクリーンカバー上に検出ホールを設ける必要は無くなるため、スクリーンカバーの強度が向上できる。
【００４７】
当業者は明細書を考慮し、ここに公開された開示を実践した後、本開示の他の実施案を容易に想到する。本願は、本開示の如何なる変形、用途または適合もカバーすることを意図する。これら変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付する特許請求の範囲によって与えられる。
【００４８】
本開示が以上で記述されて図面に示された精確な構造に限定されるものでなく、その要旨を逸脱しない範囲でいろんな補正や変更も可能であることは理解されるべきである。本開示の範囲は、添付する特許請求の範囲のみによって限定される。
【００４９】
本発明は、出願番号が２０１５１０３０１０２９．８であり、出願日が２０１５年０６月０３日である中国特許出願を基に提出するものであり、当該中国特許出願の優先権を主張し、当該中国特許出願の全ての内容は、参照のため本願に援用される。
【図１】
0006457080.tif 000002
【図２】
0006457080.tif 000003
【図３】
0006457080.tif 000004
【図４】
0006457080.tif 000005